(57)【要約】【課題】観察面側の表示基板に連設される端子板のように、端子板の電極端子形成面が表示装置の反観察面側に向けられている端子板に対して信頼性の高い電気的接続状態が得られるクリップ型端子ピンを提供する。【解決手段】一方の面に電極端子１３が形成されている端子板１２ａに取り付けられるクリップ型端子ピンで、端子板１２ａの端面と対向する背板３１および背板の両端から端子板１２ａを挟むように折り曲げられた一対の挟持片３２０，３３０を有するクリップ部３１と、背板３１から端子板１２ａの電極端子形成面に対してほぼ直交する方向に引き出された脚部ピン３２とを含むクリップ型端子ピン３０において、脚部ピン３２を、端子板１２ａの反電極端子形成面側に当接する一方の挟持片３２０の先端部から背板３１０にかけて、それらの中央の一部分から所定の幅で切り起こされ、かつ、背板３１０に対してほぼ１８０゜折り曲げられた帯状の金属材により構成する。【選択図】図２
2007234373.tif 000002
【特許請求の範囲】
【請求項１】
一方の面に電極端子が形成されている端子板に取り付けられる全体がバネ弾性を有する金属材からなるクリップ型端子ピンで、上記端子板の端面と対向する背板および上記背板の両端から上記端子板を挟むように所定の角度で折り曲げられた一対の挟持片を有するクリップ部と、上記背板から上記端子板の電極端子形成面に対してほぼ直交する方向に引き出された脚部ピンとを含むクリップ型端子ピンにおいて、
上記脚部ピンが、上記端子板の反電極端子形成面側に当接する上記一方の挟持片の先端部から上記背板にかけて、それらの中央の一部分から所定の幅で切り起こされ、かつ、上記背板に対してほぼ１８０゜折り曲げられた帯状の金属材からなることを特徴とするクリップ型端子ピン。
【請求項２】
上記脚部ピンが、上記背板の上記他方の挟持片側の端部から折り曲げられていることを特徴とする請求項１に記載のクリップ型端子ピン。
【請求項３】
観察面側の第１表示基板と反観察面側の第２表示基板を含み、上記第１表示基板に端子板が連設されている電気光学表示装置において、上記端子板に請求項１または２に記載のクリップ型端子ピンが取り付けられていることを特徴とする電気光学表示装置。
【発明の詳細な説明】
【技術分野】
【０００１】
本発明は、ばね弾性を利用して端子板などに取り付けられるクリップ型端子ピンに関し、さらに詳しく言えば、観察面側の表示基板に端子板が設けられている電気光学表示装置に好適なクリップ型端子ピンに関するものである。
【背景技術】
【０００２】
電気光学表示装置として液晶表示パネルを例にして説明すると、液晶表示パネルは、表示基板として液晶物質を挟持した状態で貼り合わされる２枚の透明電極基板を備え、そのうちの少なくとも一方の透明電極基板にパネル端子板が連設されており、そのパネル端子板から表示部内の表示電極に駆動信号を入力するようにしている。
【０００３】
通常、パネル端子板には、ＣＯＦ（ｃｈｉｐ  ｏｎ  ｆｉｌｍ）やＴＣＰ（ｔａｐｅ  ｃａｒｒｉｅｒ  ｐａｃｋａｇｅ）などのフレキシブル基板が接続され、そのフレキシブル基板を介してメインの制御回路基板から駆動信号が与えられるが、例えば表示画素数が少ない車載用途などの場合には、特許文献１に記載されているように、フレキシブル基板に代えてクリップ型端子ピンが用いられることがある。
【０００４】
その一例を図５および図６により説明する。図５は液晶表示パネル１０とクリップ型端子ピン２０とを分離して示す斜視図，図２はクリップ型端子ピン２０の要部拡大斜視図である。
【０００５】
液晶表示パネル１０は、第１透明電極基板１１と第２透明電極基板１２の２枚の表示基板を備えている。各透明電極基板１１，１２は、それらの内面に表示電極が形成されていて、所定の液晶物質を挟んだ状態で周辺シール材（ともに図示省略）を介して張り合わされている。
【０００６】
この例では、第１透明電極基板１１が観察面側，第２透明電極基板１２が反観察面側（裏面側）であり、第２透明電極基板１２側にパネル端子板１２ａが側方に張り出すように連設されている。パネル端子板１２ａには、上記表示電極に電気的につらなる複数本の電極端子１３が短冊状電極として形成されている。
【０００７】
クリップ型端子ピン２０は、電極端子１３と電気的に接続するようにパネル端子板１２ａに取り付けられる。そのため、クリップ型端子ピン２０は全体がリン青銅などのバネ弾性材からなり、そのばね弾性を利用してパネル端子板１２ａに取り付けられるクリップ部２１と、クリップ部２１から引き出された脚部ピン２２とを備えている。
【０００８】
クリップ部２１は、パネル端子板１２ａの端面と対向する背板２１０と、背板２１０の両端からパネル端子板１２ａを挟むように所定の角度で折り曲げられた一対の挟持片２２０，２３０とを有し、ここでは背板２１０の上端側から折り曲げられている一方の挟持片２２０を上側挟持片とし、背板２１０の下端側から折り曲げられている他方の挟持片２３０を下側挟持片とする。
【０００９】
脚部ピン２２は、背板２１からパネル端子板１２ａの電極端子形成面に対してほぼ直交する方向、すなわち液晶表示パネル１０の裏面側に向けて延ばされており、その裏面側に配置されている図示しない制御回路基板の所定のコネクタに差し込まれる。
【００１０】
通常、クリップ部２１と脚部ピン２２は、金属板の打ち抜き工程および折り曲げ工程を経て一体に形成される。すなわち、打ち抜き工程では、プレス機械により平板状態でクリップ部２１と脚部ピン２２の外形が打ち抜かれ、その際、下側挟持片２３０の中央部分に脚部ピン２２と同幅の切断線が入れられる。
【００１１】
そして、次の折り曲げ工程で、背板２１０の両端から上側挟持片２２０と下側挟持片２３０とが、それらの先端間の幅がパネル端子板１２ａの板厚よりも狭くなるように折り曲げられる。
【００１２】
したがって、図６に示すように、下側挟持片２３０の中央で脚部ピン２２が抜けた部分がスリット２３１となり、このスリット２３１により下側挟持片２３０は２つの挟持小片２３２，２３２に分割されることになる。
【００１３】
このクリップ型端子ピン２０によれば、図５に示すように、クリップ部２１をパネル端子板１２ａに対して強制的に押し込むことにより、上側挟持片２２０と電極端子１３とが電気的に接続されるとともに、クリップ部２１の挟持力によりパネル端子板１２ａに機械的に保持される。また、脚部ピン２２は液晶表示パネル１０の裏面側に配置される図示しない制御回路基板と接続される。
【００１４】
【特許文献１】特許第３２８３３６５号公報
【発明の開示】
【発明が解決しようとする課題】
【００１５】
ところで、上記従来例に係るクリップ型端子ピン２０は、下側挟持片２３０は中央部分に上記したスリット２３１が形成されているため、上側挟持片２２０よりも電極端子１３に対する接触面積が小さい。
【００１６】
したがって、図５に示すように、パネル端子板１２ａが反観察面側の透明電極基板１２に設けられている場合には、接触面積が広い方の上側挟持片２２０が電極端子１３と接触するため、信頼性の高い電気的接続状態が得られる。
【００１７】
しかしながら、第１透明電極基板１１と、パネル端子板１２ａを有する第２透明電極基板１２の配置が図５の場合とは逆で、図７に示すように、パネル端子板１２ａを有する透明電極基板１２が観察面側に配置される液晶表示パネル１０Ａの場合には、次のような問題が生ずる。
【００１８】
なすわち、液晶表示パネル１０Ａにおいては、電極端子１３がパネル端子板１２ａの下面側となるため、これにクリップ型端子ピン２０を取り付けると、接触面積が小さい方の下側挟持片２３０（２つの挟持小片２３２，２３２）が電極端子１３と接触することになり、電気的接続の信頼性が低下する。
【００１９】
したがって、本発明の課題は、クリップ部と脚部ピンとを含み、一方の面に電極端子が形成されている端子板に取り付けられるクリップ型端子ピンで、観察面側の表示基板に連設される端子板のように、端子板の電極端子形成面が表示装置の反観察面側に向けられている端子板に対して信頼性の高い電気的接続状態が得られるクリップ型端子ピンを提供するこにある。
【課題を解決するための手段】
【００２０】
上記課題を解決するため、請求項１に記載の発明は、一方の面に電極端子が形成されている端子板に取り付けられる全体がバネ弾性を有する金属材からなるクリップ型端子ピンで、上記端子板の端面と対向する背板および上記背板の両端から上記端子板を挟むように所定の角度で折り曲げられた一対の挟持片を有するクリップ部と、上記背板から上記端子板の電極端子形成面に対してほぼ直交する方向に引き出された脚部ピンとを含むクリップ型端子ピンにおいて、上記脚部ピンが、上記端子板の反電極端子形成面側に当接する上記一方の挟持片の先端部から上記背板にかけて、それらの中央の一部分から所定の幅で切り起こされ、かつ、上記背板に対してほぼ１８０゜折り曲げられた帯状の金属材からなることを特徴としている。
【００２１】
請求項２に記載の発明は、上記請求項１において、上記脚部ピンが、上記背板の上記他方の挟持片側の端部から折り曲げられていることを特徴としている。
【００２２】
本発明には、請求項３に記載されているように、観察面側の第１表示基板と反観察面側の第２表示基板を含み、上記第１表示基板に端子板が連設されている電気光学表示装置において、上記端子板に請求項１または２に記載のクリップ型端子ピンが取り付けられている電気光学表示装置が含まれる。電気光学表示装置は、液晶表示パネル，有機ＥＬパネル，プラズマディスプレイであってよい。
【発明の効果】
【００２３】
請求項１に記載の発明によれば、クリップ部と脚部ピンとを含むクリップ型端子ピンにおいて、脚部ピンが、端子板の反電極端子形成面側に当接する一方の挟持片の先端部から背板にかけて、それらの中央の一部分から所定の幅で切り起こされ、かつ、背板に対してほぼ１８０゜折り曲げられた帯状の金属材からなる構成としたことにより、観察面側の表示基板に連設される端子板のように、端子板の電極形成面が表示装置の反観察面側に向けられている端子板に対して信頼性の高い電気的接続状態を得ることができる。
【００２４】
請求項２に記載の発明によれば、脚部ピンが背板の他方の挟持片側の端部から折り曲げられていることにより、脚部ピンと背板とが同一面内に納められるため、クリップ型端子ピンの側面視での幅を最小限とすることができる。
【発明を実施するための最良の形態】
【００２５】
次に、図１ないし図４により、本発明の実施形態について説明する。図１は本発明によるクリップ型端子ピンの要部を拡大して示す斜視図，図２はクリップ型端子ピンを液晶表示パネルに取り付ける状態を示す模式的な斜視図，図３はクリップ型端子ピンの２例を示す側面図，図４はクリップ型端子ピンの作製手順を説明するための概略図である。
【００２６】
本発明によるクリップ型端子ピンを図１に参照符号３０を付して示すが、このクリップ型端子ピン３０は、図２（ａ）に示す液晶表示パネル１０Ａに対して電気的接続の高い信頼性が得られるように作製されたものである。
【００２７】
すなわち、液晶表示パネル１０Ａは、先の図７でも説明したように、パネル端子板１２ａを有する透明電極基板１２が観察面側に配置されている液晶表示パネルであり、パネル端子板１２ａに形成される電極端子１３は、その下面側（裏面側）に配置されている。
【００２８】
このクリップ型端子ピン３０は、電極端子１３と電気的に接続するようにパネル端子板１２ａに取り付けられる。そのため、クリップ型端子ピン３０は全体がリン青銅などのバネ弾性材からなり、そのばね弾性を利用してパネル端子板１２ａに取り付けられるクリップ部３１と、クリップ部３１から引き出された脚部ピン３２とを備えている。
【００２９】
クリップ部３１は、パネル端子板１２ａの端面と対向する背板３１０と、背板３１０の両端からパネル端子板１２ａを挟むように所定の角度で折り曲げられた一対の挟持片３２０，３３０とを有している。
【００３０】
この挟持片３２０，３３０のうち、背板３１０の上端側から折り曲げられている一方の挟持片３２０を上側挟持片とし、背板３１０の下端側から折り曲げられている他方の挟持片３３０を下側挟持片とすると、本発明では、下側挟持片３３０がパネル端子板１２ａの下面側にある電極端子１３と接触する。
【００３１】
脚部ピン３２は、背板３１０からパネル端子板１２ａに対してほぼ直交する方向、すなわち液晶表示パネル１０Ａの裏面側に向けて延ばされており、その裏面側に配置されている図示しない制御回路基板の所定のコネクタに差し込まれる。
【００３２】
クリップ部３１と脚部ピン３２は１枚の金属板から一体に形成されるが、本発明において、脚部ピン３２は、端子板１２ａの上面側（反電極端子形成面側）に当接する上側挟持片３２０の先端部から背板３１０にかけて、それらの中央の一部分から所定の幅で切り起こされ、かつ、背板３１０に対してほぼ１８０゜折り曲げられた帯状の金属材からなる。
【００３３】
これによれば、上側挟持片３２０と背板３１０とが、脚部ピン３２を帯状に切り起こす際に形成されるスリット３２１により、それぞれ２つの小片３２２，３２２；３１１，３１１に分割されるが、パネル端子板１２ａの電極端子１３と接触する側の下側挟持片３３０はスリット３２１により分割されず、電極端子１３に対して広い接触面積が確保されている。したがって、図２（ｂ）に示すように、クリップ型端子ピン３０を端子板１２ａに取り付けた場合、信頼性の高い電気的接続状態が得られることになる。
【００３４】
図３（ｂ）に示すように、脚部ピン３２は背板３１０の途中から折り曲げられてもよいが、そうすると、その折り曲げの基端部の幅Ｗだけ側面視での幅が膨らむため、好ましくは、図３（ａ）に示すように、脚部ピン３２を背板３１０の下側挟持片３３０の端部から折り曲げるとよく、これによれば、脚部ピン３２が背板３１０の平面内に納められるため、側面視での幅を最小限の幅とすることができる。
【００３５】
次に、図４によりクリップ型端子ピン３０の作製手順を説明する。まず最初に、プレス工程で、図４（ａ）に示すように、１枚の金属板からクリップ部３１と脚部ピン３２を含む外形を平板状に打ち抜く。その際、脚部ピン３２と同幅の切り込み線Ｃを上側挟持片３２０側から下側挟持片３３０の折り曲げ端部Ｂ２にまで入れる。
【００３６】
次に、折り曲げ工程で、図４（ｂ）に示すように、脚部ピン３２を下側挟持片３３０の折り曲げ端部Ｂ２から矢印Ａ方向にクリップ部３１に対して１８０゜折り曲げたのち、背板３１０に対して上側挟持片３２０と下側挟持片３３０とを矢印Ｂ，Ｃに示すように同方向に折り曲げて、図１に示す形態とする。なお、上側挟持片３２０と下側挟持片３３０とを先に折り曲げてから、脚部ピン３２を折り曲げてもよい。
【００３７】
この説明から分かるように、本発明のクリップ型端子ピン３０は、図５，図６で説明した従来のクリップ型端子ピン２０と同じくプレス工程と折り曲げ工程とにより作製することができ、特に新たな工程を追加する必要はない。
【００３８】
以上、図示の例に基づいて本発明を説明したが、本発明のクリップ型端子ピン３０が適用される電気光学表示装置は、液晶表示パネルのみでなく、上記した下面側に電極端子が形成されている端子板を有するものであれば、有機ＥＬパネルやプラズマディスプレイであってもよく、さらには通常の回路基板などにも適用可能である。
【図面の簡単な説明】
【００３９】
【図１】本発明によるクリップ型端子ピンの要部を拡大して示す斜視図。
【図２】上記クリップ型端子ピンを液晶表示パネルに取り付ける状態を示す模式的な斜視図。
【図３】上記クリップ型端子ピンの２例を示す側面図。
【図４】上記クリップ型端子ピンの作製手順を説明するための概略図。
【図５】従来例に係るクリップ型端子ピンを液晶表示パネルに取り付ける状態を示す模式的な斜視図。
【図６】従来例に係るクリップ型端子ピンの要部を拡大して示す斜視図。
【図７】上記従来例で問題となるクリップ型端子ピンと液晶表示パネルの組合せ例を示す模式的な斜視図。
【符号の説明】
【００４０】
１０  液晶表示パネル
１１，１２  透明電極基板  
１２ａ  端子板
３０  クリップ型端子ピン
３１  クリップ部
３２  脚部ピン
３１０  背板
３２０  上側挟持片
３３０  下側挟持片
３２１  スリット
【図１】
2007234373.tif 000003
【図２】
2007234373.tif 000004
【図３】
2007234373.tif 000005
【図４】
2007234373.tif 000006
【図５】
2007234373.tif 000007
【図６】
2007234373.tif 000008
【図７】
2007234373.tif 000009